(57)【要約】【課題】異なる伝送形態でも再生される音声の聴取タイミングの同期が取れる再生装置を提供する。【解決手段】無線伝送方式で接続するスピーカ３００に伝送して再生するまでの再生時間を音の伝搬距離に換算する。伝搬距離およびそのスピーカ３００の基準点からの設置距離との和と、有線伝送方式で接続するスピーカ３００の設置距離とのうち、短い距離で伝送する音声データを、メモリ部２１３Ｅに記憶したデータ領域の遅延時間に関する条件情報に基づいて、長い距離と同一な距離となる状態に演算部２１３Ｆにてディレイ処理する。画像データも最も長いディレイ時間でディレイ処理して表示部４００で再生する。【選択図】  図１
2004328513.tif 000002
【特許請求の範囲】
【請求項１】
基準点の周囲に設置される複数のスピーカから音声データを再生させる音声データ処理装置であって、
前記音声データを取得する音声データ取得手段と、
各スピーカに対応した各チャンネルの前記音声データのうち、有線で接続された第１スピーカへ有線伝送方式にて伝送される音声データを、無線で接続された第２スピーカへ無線伝送方式にて伝送される音声データが前記第２のスピーカから再生されるまでの再生時間を基準として遅延処理する遅延処理手段と、
を具備したことを特徴とした音声データ処理装置。
【請求項２】
請求項１に記載の音声データ処理装置であって、
前記音声データをデジタル信号として前記無線伝送方式で前記第２スピーカへ送信する送信手段を具備した
ことを特徴とした音声データ処理装置。
【請求項３】
請求項１または請求項２に記載の音声データ処理装置であって、
前記遅延処理手段は、前記基準点から前記第１スピーカまでの第１設置距離と、前記無線伝送方式にて前記第２スピーカへ伝送される音声データが変調および復調に要する時間に相当する音の伝搬距離と、前記基準点から前記第２スピーカまでの第２設置距離とに基づいて遅延処理する
ことを特徴とした音声データ処理装置。
【請求項４】
請求項３に記載の音声データ処理装置であって、
前記遅延処理手段は、前記第１設置距離と、前記第２設置距離に前記伝播距離を足した合計距離との差に基づいて遅延処理する
ことを特徴とした音声データ処理装置。
【請求項５】
請求項１ないし請求項４のいずれかに記載の音声データ処理装置であって、
前記遅延処理手段にて遅延処理するために前記音声データを記憶する記憶手段を具備し、
前記記憶手段は、前記スピーカへの伝送方式が全て同一の場合における標準データ領域と同一の大きさのデータ領域であり、前記第１スピーカへの遅延時間が割り振られている
ことを特徴とした音声データ処理装置。
【請求項６】
請求項５に記載の音声データ処理装置であって、
前記遅延処理手段は、前記データ領域および前記標準データ領域のうちのいずれか一方に基づいて遅延処理する
ことを特徴とした音声データ処理装置。
【請求項７】
請求項１ないし請求項６のいずれかに記載の音声データ処理装置であって、
前記第１スピーカは、聴取者に対して、前方に設置されるセンタースピーカ、前方右側に設置される右前スピーカおよび前方左側に設置される左前スピーカであり、前記第２スピーカは、前記聴取者に対して、後方右側に設置される右後スピーカおよび後方左側に設置される左後スピーカである
ことを特徴とした音声データ処理装置。
【請求項８】
請求項１ないし請求項７のいずれかに記載の音声データ処理装置であって、
前記各スピーカが前記有線伝送方式により前記音声データを取得可能に接続されたことを検出する接続検出手段を具備し、
前記遅延処理手段は、前記接続検出手段にて検出した前記各スピーカの接続状態に基づいて伝送する前記音声データを遅延処理する
ことを特徴とした音声データ処理装置。
【請求項９】
請求項１ないし請求項８のいずれかに記載の音声データ処理装置であって、
画像データを取得する画像データ取得手段と、
前記取得した画像データを再生する表示手段と、
前記表示手段へ伝送する際に、前記遅延処理手段にて遅延処理する遅延時間が最も長い時間と同じ時間だけ遅延処理する画像データ遅延処理手段と、
を具備した
ことを特徴とした音声データ処理装置。
【請求項１０】
基準点の周囲に設置される複数のスピーカから音声データを再生させる音声データ処理方法であって、
各スピーカに対応した各チャンネルの前記音声データのうち、有線で接続された第１スピーカへ有線伝送方式にて伝送される音声データを、無線で接続された第２スピーカへ無線伝送方式にて伝送される音声データが前記第２スピーカから再生出力されるまでの再生時間を基準として遅延処理する
ことを特徴とする音声データ処理方法。
【請求項１１】
請求項１０に記載の音声データ処理方法であって、
画像データを取得し、この取得した画像データを表示手段へ伝送する際に、前記遅延処理する遅延時間が最も長い時間と同じ時間だけ、前記画像データを遅延処理する
ことを特徴とする音声データ処理方法。
【請求項１２】
請求項１０または請求項１１に記載の音声データ処理方法を演算手段に実行させる
ことを特徴とした音声データ処理プログラム。
【請求項１３】
請求項１２に記載の音声データ処理プログラムが演算手段にて読取可能に記録された
ことを特徴とした音声データ処理プログラムを記録した記録媒体。
【発明の詳細な説明】
【０００１】
【発明の属する技術分野】
本発明は、複数のスピーカから出力させる音声データを処理する音声データ処理装置、音声データ処理方法、そのプログラム、そのプログラムを記録した記録媒体に関する。
【０００２】
【従来技術】
従来、複数のスピーカを用いて多チャンネル音声を再生する再生システムが知られている。この再生システムは、例えば画像データをモニタで表示させ、視聴者の周りに複数のスピーカを配置して、視聴者の周囲から音声データを再生させる。ところで、再生システムでは、限られた居住空間内に配置する必要があることから、各スピーカが視聴者に対して等距離となる状態に配設することは困難である。このことから、スピーカの視聴者に対する配置の不均衡により視聴者に各スピーカから再生される音声が異なるタイミングで到達することを防止するため、音声データの処理の際、視聴者に同一のタイミングで音声を到達させる遅延処理をする構成が知られている（例えば、特許文献１，２参照）。
【０００３】
特許文献１に記載に記載のものは、スピーカと聴取者との距離による音波の時間差を考慮して、２チャンネル信号のレベルを相対的に調整、すなわち出力信号波を相対的に遅延させる処理により多チャンネル信号の伝送時間を制御する。一方、特許文献２に記載のものは、各スピーカと聴取者との距離の差に比例して相対遅延時間で、増幅ゲインを処理する。
【０００４】
【特許文献１】
特公昭５６−４５３６０号公報（第１頁右欄−第２頁右欄）
【特許文献２】
特公平２−１４４０号公報（第２頁右欄−第４頁右欄）
【０００５】
【発明が解決しようとする課題】
ところで、視聴者に対して背中側に配置されるスピーカなど、アンプなどの音声データ処理装置から離間して配置されるスピーカでは、アンプから無線媒体で音声データをスピーカへ送信して再生出力させるいわゆるワイヤレス方式が好ましい。このワイヤレス方式では、音声データをスピーカから再生出力させるまでに音声データを変調および復調している。このことから、上述した特許文献１および特許文献２に記載のように、単に設置した距離の関係で遅延させる方法を適用したのでは、音声データの変調および復調に要する時間により、出力される音声データが聴取者へ異なるタイミングで到達してしまい、良好に聴取できないおそれがある問題点が一例として挙げられる。
【０００６】
本発明は、このような問題点を一つの課題として捉え、異なる伝送形態でも再生される音声の聴取タイミングの同期が取れる音声データ処理装置、音声データ処理方法、そのプログラム、および、そのプログラムを記録した記録媒体を提供することを目的とする。
【０００７】
【課題を解決するための手段】
請求項１に記載の発明は、基準点の周囲に設置される複数のスピーカから音声データを再生させる音声データ処理装置であって、前記音声データを取得する音声データ取得手段と、各スピーカに対応した各チャンネルの前記音声データのうち、有線で接続された第１スピーカへ有線伝送方式にて伝送される音声データを、無線で接続された第２スピーカへ無線伝送方式にて伝送される音声データが前記第２のスピーカから再生されるまでの再生時間を基準として遅延処理する遅延処理手段と、を具備したことを特徴とした音声データ処理装置である。
【０００８】
請求項１０に記載の発明は、基準点の周囲に設置される複数のスピーカから音声データを再生させる音声データ処理方法であって、各スピーカに対応した各チャンネルの前記音声データのうち、有線で接続された第１スピーカへ有線伝送方式にて伝送される音声データを、無線で接続された第２スピーカへ無線伝送方式にて伝送される音声データが前記第２スピーカから再生出力されるまでの再生時間を基準として遅延処理することを特徴とする音声データ処理方法である。
【０００９】
請求項１２に記載の発明は、請求項１０または請求項１１に記載の音声データ処理方法を演算手段に実行させることを特徴とした音声データ処理プログラムである。
【００１０】
請求項１３に記載の発明は、請求項１２に記載の音声データ処理プログラムが演算手段にて読取可能に記録されたことを特徴とした音声データ処理プログラムを記録した記録媒体である。
【００１１】
【発明の実施の形態】
以下に、本発明の一実施の形態における再生装置を図面を参照して説明する。なお、この一実施の形態では、音声データおよび画像データを再生出力する構成について説明するが、音声データのみを再生出力する構成などとしてもよい。図１は、再生装置の概略構成を示すブロック図である。図２は、同一の伝送方式におけるディレイ処理した相対距離とともにスピーカの設置状態を示す概念図である。図３は、異なる伝送方式におけるディレイ処理した相対距離とともにスピーカの設置状態を示す概念図である。図４は、メモリ部のデータ構造を示す概念図で、（Ａ）は標準データ領域を示す概念図、（Ｂ）はデータ領域を示す概念図である。図５は、同一の伝送方式におけるディレイ処理状況を示す概略構成図である。図６は、異なる伝送方式におけるディレイ処理状況を示す概略構成図である。
【００１２】
〔再生装置の構成〕
（構成）
図１において、１００は再生装置で、この再生装置１００は、音声データおよび画像データを利用者が視聴可能に再生出力する。この再生装置１００は、図示しないデータ読取部と、音声データ処理装置としての信号処理部２００と、複数のスピーカ３００と、表示手段としての表示部４００と、を備えている。なお、本実施の形態においては、複数のスピーカ３００として、例えば図２および図３中の実線に示すように、基準点となる視聴位置、すなわち視聴者５００の正面となる表示部４００に近接した位置に設置される第１スピーカとしてのセンタースピーカ３００Ｃと、視聴者に対して前方右側に設置される第１スピーカとしての右前スピーカ３００Ｒと、視聴者に対して前方左側に設置される第１スピーカとしての左前スピーカ３００Ｌと、視聴者に対して後方右側に設置される第２スピーカとしての右後スピーカ３００ＲＳと、視聴者に対して後方左側に設置される第２スピーカとしての左後スピーカ３００ＬＳと、を用いた５チャンネルの構成として説明するが、この構成に限らず、２つ以上のスピーカを用いて２チャンネル以上の多チャンネル音声データを再生出力する構成に適用できる。なお、例えばいわゆる５．１チャンネル（ｃｈ）のうちの０．１ｃｈに相当する低音成分を再生するスピーカを備えていてもよい。また、表示部４００を設けず音声データを聴取するための再生装置としても適用できる。
【００１３】
データ読取部は、記録媒体に記録された各種データを読み取るドライブやドライバを備えている。ここで、記録媒体としては、例えばＣＤ−ＤＡ（Ｃｏｍｐａｃｔ  Ｄｉｓｋ）やＤＶＤ（Ｄｉｇｉｔａｌ  Ｖｅｒｓａｔｉｌｅ  Ｄｉｓｃ）、ハードディスクなどの記録ディスク、あるいはメモリーカードなどの各種記録メディアが適用できる。そして、データ読取部は、読み取った音声データおよび画像データをそれぞれ図示しない出力端子から出力する。
【００１４】
信号処理部２００は、例えばＡＶ（Ａｕｄｉｏ−Ｖｉｓｕａｌ）レシーバで、図１に示すように、音声処理部２１０と、画像処理部２２０と、システムマイコン２３０と、入力操作部２４０と、モニタ部２５０と、を備えている。システムマイコン２３０は、音声処理部２１０および画像処理部２２０にそれぞれ接続され、音声処理部２１０および画像処理部２２０の動作を制御する。
【００１５】
入力操作部２４０は、システムマイコン２３０に接続され、入力操作可能な例えば図示しない操作ボタンや操作つまみなどのスイッチを複数有している。そして、入力操作部２４０は、これらスイッチの入力操作により所定の信号をシステムマイコン２３０に出力し、各種条件をシステムマイコン２３０に設定入力させる。なお、入力操作部２４０としては、スイッチの入力操作にて設定入力する構成に限らず、音声入力などいずれの入力方法が利用できる。また、いわゆるリモコンであるリモートコントローラとして構成し、無線媒体を介してシステムマイコン２３０に入力操作に対応した信号を送信して設定入力させる構成としてもよい。
【００１６】
モニタ部２５０は、システムマイコン２３０に接続され、例えば液晶やＥＬ（Ｅｌｅｃｔｒｏ  Ｌｕｍｉｎｅｓｃｅｎｃｅ）パネルなどの表示装置が用いられる。そして、モニタ部２５０は、システムマイコン２３０の制御により、システムマイコン２３０から出力される信号に基づいて、音声データの処理状況や再生出力状態、入力操作内容などを表示する。
【００１７】
音声処理部２１０は、システムマイコン２３０に制御され、音声データを各スピーカ３００から音声としてそれぞれ再生出力するための処理をする。この音声処理部２１０は、音声データ入力端子２１１と、音声データ取得手段としてのデジタルインターフェースレシーバ（Ｄｉｇｉｔａｌ  Ｉｎｔｅｒｆａｃｅ  Ｒｅｃｅｉｖｅｒ：ＤＩＲ）２１２と、音声データ処理装置としてのデジタル信号処理部（Ｄｉｇｉｔａｌ  Ｓｉｇｎａｌ  Ｐｒｏｃｅｓｓｏｒ：ＤＳＰ）２１３と、デジタル−アナログコンバータ（ＤＡＣ）２１４と、複数のアンプ２１５と、送信手段としての複数の送信部２１６と、複数の音声データ出力端子２１７と、を備えている。なお、本実施の形態では、アンプ２１５および音声データ出力端子２１７は、例えばセンタースピーカ３００Ｃ、右前スピーカ３００Ｒおよび左前スピーカ３００Ｌに対応して３つ設けられている。
【００１８】
音声データ入力端子２１１は、例えば図示しないリード線の一端が着脱可能に接続されるコネクタである。そして、音声データ入力端子２１１は、リード線の他端に設けられた図示しない端子が接続されるデータ読取部にリード線を介して接続され、データ読取部から出力される音声データが入力される。
【００１９】
ＤＩＲ２１２は、音声データ入力端子２１１に接続されている。このＤＩＲ２１２は、音声データ入力端子２１１に入力された音声データを取得して適宜変換し、ストリーム音声データとして出力する。
【００２０】
ＤＡＣ２１４は、デジタル信号処理部２１３に接続され、デジタル信号処理部２１３から出力される処理されたデジタルの音声データをアナログに変換する。そして、ＤＡＣ２１４は、アナログに変換した音声データを、それぞれアンプ２１５へ出力する。
【００２１】
各アンプ２１５は、ＤＡＣ２１４に接続されているとともに、音声データ出力端子２１７にそれぞれ接続されている。これらアンプ２１５は、例えばスピーカ３００に対応して複数、すなわち５つ設けられている。そして、アンプ２１５は、アナログの音声データを適宜スピーカ３００から出力可能に処理し、音声データ出力端子２１７へ出力する。
【００２２】
音声データ出力端子２１７は、リード線の一端に設けられた図示しない端子が着脱可能に接続されるコネクタである。この音声データ出力端子２１７は、リード線の他端に設けられた端子を接続する各スピーカ３００がリード線を介して接続し、アンプ２１５から出力される音声データをスピーカ３００へ出力する。具体的には、音声データ出力端子２１７は、例えば各スピーカ３００が接続される５つ設けられている。
【００２３】
送信部２１６は、送信アンテナ２１６Ａを有し、デジタル信号処理部２１３に接続されている。この送信部２１６は、デジタル信号処理部２１３から出力される処理されたデジタルの音声データを適宜変調し、無線媒体２１６Ｂを利用して送信アンテナ２１６Ａから所定のスピーカ３００へ送信する。ここで、無線媒体２１６Ｂとしては、赤外線などの光、音波、電波、電磁波などいずれのものが利用できる。
【００２４】
デジタル信号処理部２１３は、ＤＩＲ２１２、ＤＡＣ２１４および送信部２１６に接続され、ＤＩＲ２１２から出力されるストリーム音声データを取得し、適宜ディレイ処理してＤＡＣ２１４あるいは送信部２１６へ出力する。このデジタル信号処理部２１３は、入力端子２１３Ａと、データバス２１３Ｂと、ストリームデータ入力部２１３Ｃと、ホストインターフェース部２１３Ｄと、記憶手段としてのメモリ部２１３Ｅと、遅延処理手段としての演算部２１３Ｆと、オーディオデータ出力部２１３Ｇと、出力端子２１３Ｈと、を備えている。
【００２５】
入力端子２１３Ａは、ＤＩＲ２１２に接続され、ＤＩＲ２１２から出力されるストリーム音声データが入力される。ストリームデータ入力部２１３Ｃは、入力端子２１３Ａおよびデータバス２１３Ｂに接続され、ＤＩＲ２１２から入力端子２１３Ａに入力されたストリーム音声データを取得し、適宜データバス２１３Ｂに出力する。ホストインターフェース部２１３Ｄは、システムマイコン２３０およびデータバス２１３Ｂに接続され、システムマイコン２３０からの指令信号をデータバス２１３Ｂを介して演算部２１３Ｆに出力し演算部２１３Ｆを適宜動作させる。オーディオデータ出力部２１３Ｇは、データバス２１３Ｂおよび出力端子２１３Ｈに接続され、データバス２１３Ｂから演算部２１３Ｆで後述する処理が実施された音声データを取得して適宜出力端子２１３Ｈへ出力する。
【００２６】
メモリ部２１３Ｅは、ストリーム音声データを適宜処理するためのプログラムや所定のストリーム音声データを遅延処理するための処理条件などを記憶する。また、メモリ部２１３Ｅには、例えば図４に示すように、同一の伝送方式の場合の遅延時間であるディレイ時間が割り振られる標準データ領域（図４（Ａ））２１３Ｅ１と、異なる伝送方式の場合のディレイ時間が割り振られるデータ領域（図４（Ｂ））２１３Ｅ２とを有している。なお、これら遅延時間は、各スピーカ３００が図２および図３に示す位置関係、すなわち一番遠い位置に右前スピーカ３００Ｒおよび左前スピーカ３００Ｌが設置され、次にセンタースピーカ３００Ｃが設置され、最も近い位置に右後スピーカ３００ＲＳおよび左後スピーカ３００ＬＳが設置される場合を例示する。また、伝送方式としては、図示しない有線であるリード線を介してスピーカ３００が接続される有線伝送方式と、いわゆるワイヤレスである無線媒体２１６Ｂを介する無線伝送方式とを利用した例示である。さらに、異なる伝送方式の対象としては、例えば右後スピーカ３００ＲＳおよび左後スピーカ３００ＬＳで説明する。
【００２７】
そして、標準データ領域２１３Ｅ１は、図２に示すように、各スピーカ３００の基準点となる視聴位置からの距離が短くなるにしたがって遅延させる時間が長くなる割合の遅延時間で割り振られている。すなわち、標準データ領域２１３Ｅ１は、音声データＣ，ＲＳ，ＬＳを適宜ディレイ処理することで、仮想的に図２中の２点鎖線で示す位置に等距離に設置した場合と同様のタイミングで再生出力される音声を聴取できる条件の遅延時間である。具体的には、図４（Ａ）に示すように、センタースピーカ３００Ｃで再生出力させる音声データＣをディレイ処理する遅延時間が最大で５ｍｓｅｃとなる２４０ワードで記録可能な領域２１３Ｅ１ａと、右後スピーカ３００ＲＳで再生出力させる音声データＲＳをディレイ処理の遅延時間が最大で１５ｍｓｅｃとなる７２０ワードで記録可能な領域２１３Ｅ１ｂと、左後スピーカ３００ＬＳで再生出力させる音声データＬＳをディレイ処理の遅延時間が最大で１５ｍｓｅｃとなる７２０ワードで記録可能な領域２１３Ｅ１ｃと、を有している。
【００２８】
また、データ領域２１３Ｅ２は、図３に示すように、送信部２１６から送信した変調された音声データＲＳ，ＬＳをスピーカ３００ＲＳ，３００ＬＳで受信して適宜復調させる時間を伝搬距離として変換した基準点からの距離ｌと、他のスピーカ３００Ｃ，３００Ｒ，３００Ｌにおける基準点からの距離が短くなるにしたがって遅延させる時間が長くなる割合の遅延時間で割り振られている。すなわち、データ領域２１３Ｅ２は、音声データＣ，Ｒ，Ｌを適宜ディレイ処理することで仮想的に図３中の２点鎖線で示す位置に等距離に設置した場合と同様のタイミングで再生出力される音声を聴取できる遅延時間である。具体的には、図４（Ｂ）に示すように、センタースピーカ３００Ｃで再生出力させる音声データＣをディレイ処理する遅延時間が最大で１３ｍｓｅｃとなる６２４ワードで記録可能な領域２１３Ｅ２ａと、右前スピーカ３００Ｒで再生出力される音声データＲをディレイ処理する遅延時間が最大で１１ｍｓｅｃとなる５２８ワードで記録可能な領域２１３Ｅ２ｂと、左前スピーカ３００Ｌで再生出力される音声データＬをディレイ処理する遅延時間が最大で１１ｍｓｅｃとなる５２８ワードで記録可能な領域２１３Ｅ２ｃと、を有している。このように、標準データ領域２１３Ｅ１およびデータ領域２１３Ｅ２は、全体が同一の１６８０ワードの領域となっている。
【００２９】
演算部２１３Ｆは、データバス２１３Ｂに接続され、システムマイコン２３０からの指令信号に基づいて、メモリ部２１３Ｅに記憶されたプログラムおよび処理条件により、ストリームデータ入力部２１３Ｃからデータバス２１３Ｂに出力されるストリーム音声データを適宜処理する。具体的には、演算部２１３Ｆには、図５および図６に示すように、プログラムとしてのデコーダ部２１３Ｆ１と、音声処理部２１３Ｆ２と、遅延処理部２１３Ｆ３と、などが構成されている。なお、図５は、同一の伝送方式の場合のディレイ処理を実施する構成を示すブロック図である。図６は、異なる伝送方式を併用する場合のディレイ処理を実施する構成を示すブロック図である。そして、図６は、上述したように、右後スピーカ３００ＲＳおよび左後スピーカ３００ＬＳがいわゆるワイヤレスである無線伝送方式で、他が有線伝送方式の場合を例示したものである。
【００３０】
デコーダ部２１３Ｆ１は、ストリーム音声データをデコード処理し、各スピーカ３００から出力させる各チャンネルの音声データＬ，Ｒ，ＬＳ，ＲＳ，Ｃ，ＬＦＥ（Ｌｏｗ  Ｆｒｅｑｕｅｎｃｙ  Ｅｆｆｅｃｔ）とに分離する。なお、ＬＦＥは、いわゆる５．１チャンネル（ｃｈ）のうちの０．１ｃｈに相当するもので、低音成分だけを含んでいるチャンネルである。音声処理部２１３Ｆ２は、デコード部から出力される音声データＬ，Ｒ，ＬＳ，ＲＳ，Ｃ，ＬＦＥを音声信号処理、例えば入力操作部２４０の入力操作にて設定された音量、再生出力するバランス配分などの処理をする。遅延処理部２１３Ｆ３は、音声処理部２１３Ｆ２で音声信号処理された音声データを、無線伝送方式であるいわゆるワイヤレススピーカとして利用する構成がいずれのスピーカ３００であるかがあらかじめ設定された条件に基づいて遅延すなわちディレイ処理する。このようにして、演算部２１３Ｆは、適宜ディレイ処理された音声データをデータバス２１３Ｂを介してオーディオデータ出力部２１３Ｇへ出力する。
【００３１】
ここで、ディレイ処理として、上述したように、入力操作部２４０の入力操作により、例えば図５に示す全てのスピーカ３００が同一の伝送方式で音声データを取得する構成と、図６に示す一部のスピーカ３００が他と異なる伝送方式で音声データを取得する構成と、が構築される。ここで、伝送方式としては、上述したように、図示しないリード線を介してスピーカ３００が接続される有線伝送方式と、いわゆるワイヤレスである無線伝送方式とを利用して説明する。
【００３２】
図５に示すように、全てのスピーカ３００が有線伝送方式、および、無線伝送方式であることが設定入力されている場合、遅延処理部２１３Ｆ３は、メモリ部２１３Ｅのデータ領域２１３Ｅ１に割り振られる遅延時間に基づいて、視聴者に対して設置距離が遠くなる音声データＣ，ＲＳ，ＬＳを適宜ディレイ処理する。他の音声データＲ，Ｌは、ディレイ処理せず、そのままオーディオデータ出力部２１３Ｇを介して出力端子２１３Ｈへ出力させる処理をする。また、図６に示すように、一部のスピーカ３００が無線伝送方式の場合、遅延処理部２１３Ｆ３は、メモリ部２１３Ｅのデータ領域２１３Ｅ２の条件に基づいて、視聴者に対して変調および復調の時間を考慮した相対的な設置距離が遠くなる音声データＣ，Ｒ，Ｌを適宜ディレイ処理する。その他の音声データＲＳ，ＬＳは、ディレイ処理せず、そのままオーディオデータ出力部２１３Ｇを介して出力端子２１３Ｈへ出力させる処理をする。
【００３３】
一方、画像処理部２２０は、システムマイコン２３０に制御され、画像データを表示部から映像としてそれぞれ再生出力するための処理をする。この画像処理部２２０は、図１に示すように、画像データ取得手段としての画像データ入力端子２２１と、画像データ遅延処理手段としてのディレイ回路部２２２と、映像出力回路部２２３と、画像データ出力端子２２４と、を備えている。
【００３４】
画像データ入力端子２２１は、例えば図示しないリード線の一端が着脱可能に接続されるコネクタである。そして、画像データ入力端子２２１は、リード線の他端に設けられた図示しない端子が接続されるデータ読取部にリード線を介して接続され、データ読取部から出力される画像データが入力される。
【００３５】
ディレイ回路部２２２は、画像データ入力端子２２１およびシステムマイコン２３０に接続されている。そして、ディレイ回路部２２２は、システムマイコン２３０に制御され、音声処理部２１０で音声データをディレイ処理する際の条件のうち遅延させる時間を最も長くする条件で画像データをディレイ処理して出力する。すなわち、図５に示すように、全てのスピーカ３００が再生出力するまでの時間が短い有線伝送方式で接続される場合には、ディレイ回路部２２２は、画像データをディレイ処理しない。また、図６に示すように、一部のスピーカ３００が再生出力するまでの時間が変調および復調などにより長くなる無線伝送方式で接続される場合には、ディレイ回路部２２２は、画像データをディレイ処理する。このディレイ処理は、演算部２１３Ｆで音声データをディレイ処理した際の最も長いディレイ時間で実施される。なお、全てのスピーカ３００が無線伝送方式であって、表示部４００が有線伝送方式で接続される場合には、ディレイ処理し、表示部４００も全てのスピーカ３００と同様に無線伝送方式の場合には、ディレイ処理しない。
【００３６】
映像出力回路部２２３は、ディレイ回路部２２２および画像データ出力端子２２４に接続されている。この映像出力回路部２２３は、ディレイ回路部２２２から出力されるディレイ処理された画像データを適宜表示部４００で表示可能に処理する。そして、映像出力回路部２２３は、処理した画像データを画像データ出力端子２２４へ出力する。
【００３７】
画像データ出力端子２２４は、リード線の一端に設けられた図示しない端子が着脱可能に接続されるコネクタである。この画像データ出力端子２２４は、リード線の他端に設けられた端子を接続する表示部４００がリード線を介して接続し、映像出力回路部２２３から出力される画像データを表示部４００へ出力する。
【００３８】
一方、スピーカ３００は、例えば図１に示すように、受信処理部３１０と、スピーカ本体３２０と、を備えている。受信処理部３１０は、受信部３１１と、上述した音声処理部２１０と同様のＤＡＣ２１４と、アンプ２１５と、を備えている。
【００３９】
受信部３１１は、受信アンテナ３１１Ａを有している。この受信部３１１は、音声処理部２１０の送信部２１６から無線媒体２１６Ｂにて送信される変調された音声データを受信アンテナ３１１Ａで受信し、復調して接続されたＤＡＣ２１４へ出力する。そして、受信処理部３１０は、音声処理部２１０と同様に、復調された音声データをアナログに変換し、アンプ２１５にて接続されているスピーカ本体３２０から音声として再生出力可能に音声データを処理し、スピーカ本体３２０へ出力して再生させる。なお、図１に示すように、スピーカ３００を音声データ出力端子２１７に接続する場合には、音声データ出力端子２１７に直接スピーカ本体３２０が接続される状態に他の図示しない端子を介して接続する構成となっている。
【００４０】
表示部４００は、例えば液晶やＥＬ（Ｅｌｅｃｔｒｏ  Ｌｕｍｉｎｅｓｃｅｎｃｅ）パネルあるいはＰＤＰ（Ｐｌａｓｍａ  Ｄｉｓｐｌａｙ  Ｐａｎｅｌ）、ブラウン管などの表示装置が用いられる。そして、表示部４００は、画像データ出力端子から出力される画像データを取得し、適宜映像として再生出力する。
【００４１】
（デジタル信号処理部におけるディレイ処理）
次に、デジタル信号処理部２１３におけるディレイ処理の構成、すなわちディレイ処理するためのメモリ部２１３Ｅに割り振られるディレイ時間の設定について説明する。
【００４２】
デジタル信号処理部２１３の遅延処理部２１３Ｆ３は、上述したように、メモリ部２１３Ｅに記憶された条件に基づいて音声データをディレイ処理する。このディレイする条件は、全てのスピーカ３００が有線伝送方式で接続される場合で利用される例えばデータ領域２１３Ｅ１に記録される条件と、一部のスピーカ３００が無線伝送方式で接続される場合で利用される例えばデータ領域２１３Ｅ２に記録される条件とがある。なお、ここで、データ領域２１３Ｅ２としては、上述したように、右後スピーカ３００ＲＳおよび左後スピーカ３００ＬＳが無線伝送方式で、その他のスピーカおよび表示部が有線伝送方式で接続した場合を例示して説明する。
【００４３】
全てが有線伝送方式である通常の場合、以下に示す数１および数２に基づいて遅延時間が演算される。すなわち、データ領域２１３Ｅ１の領域２１３Ｅ１ａには、センタースピーカ３００Ｃで再生出力させる音声データＣを最大５ｍｓｅｃでディレイ処理する遅延時間が割り振られ、領域２１３Ｅ１ｂ，２１３Ｅ１ｃには、右後スピーカ３００ＲＳあるいは左後スピーカ３００ＬＳで再生出力させる音声データＲＳ，ＬＳを最大１５ｍｓｅｃでディレイ処理する遅延時間が割り振られる。このことから、通常時の場合には、以下の数１に示すように音声データＲＳ，ＬＳのディレイ時間である遅延時間Ｓが演算され、数２に示すように音声データＣのディレイ時間である遅延時間Ｃが演算される。なお、各数１および数２の各項は、以下の条件である。
Ｓ：音声データＲＳ，ＬＳの遅延時間［ｍｓｅｃ］
Ｃ：音声データＣの遅延時間［ｍｓｅｃ］
ｆ：右前スピーカ３００Ｒおよび左前スピーカ３００Ｌの基準点からの距離［ｍ］
ｃ：センタースピーカ３００Ｃの基準点からの距離［ｍ］
ｓ：右後スピーカ３００ＲＳおよび左後スピーカ３００ＬＳの基準点からの距離［ｍ］
ｖ：音速［ｍ／ｓ］
【００４４】
【数１】
Ｓ＝１０００＊（ｆ−ｓ）／ｖ
ｉｆ  Ｓ＞１５  ｔｈｅｎ  Ｓ＝１５
ｉｆ  Ｓ＜０  ｔｈｅｎ  Ｓ＝０
【００４５】
【数２】
Ｃ＝１０００＊（ｆ−ｃ）／ｖ
ｉｆ  Ｃ＞５  ｔｈｅｎ  Ｃ＝５
ｉｆ  Ｃ＜０  ｔｈｅｎ  Ｃ＝０
【００４６】
一方、右後スピーカ３００ＲＳおよび左後スピーカ３００ＬＳが無線伝送形式の場合、以下に示す数３および数４に基づいて遅延時間が演算される。すなわち、データ領域２１３Ｅ２の領域Ｅ２ａには、センタースピーカ３００Ｃで再生出力させる音声データＣを最大１３ｍｓｅｃでディレイ処理する遅延時間が割り振られ、領域２１３Ｅ２ｂ，２１３Ｅ２ｃには、右前スピーカ３００Ｒあるいは左前スピーカ３００Ｌで再生出力させる音声データＲ，Ｌを最大１１ｍｓｅｃでディレイ処理する遅延時間が割り振られる。このことから、一部に無線伝送方式を利用する場合には、以下の数３に示すように音声データＲ，Ｌの遅延時間Ｆが演算され、数４に示すように音声データＣの遅延時間Ｃが演算される。なお、各数３および数４の各項は、上述する項以外において以下の条件である。
Ｆ：音声データＲ，Ｌの遅延時間［ｍｓｅｃ］
ｌ：無線伝送による遅延時間分の音の伝搬距離（ｌ＝ｔ＊Ｖ／１０００）［ｍ］
ｔ：無線伝送による遅延時間
Ｆｍａｘ：音声データＲ，Ｌの最大遅延時間［ｍｓｅｃ］
Ｃｍａｘ：音声データＣの最大遅延時間［ｍｓｅｃ］
【００４７】
【数３】
Ｆ＝１０００＊（（ｓ＋ｌ）−ｆ）／ｖ
ｉｆ  Ｆ＞Ｆｍａｘ    ｔｈｅｎ  Ｆ＝Ｆｍａｘ
ｉｆ  Ｆ＜０  ｔｈｅｎ  Ｆ＝０
【００４８】
【数４】
Ｃ＝１０００＊（ｆ−ｃ）／ｖ＋Ｆ
ｉｆ  Ｃ＞Ｃｍａｘ    ｔｈｅｎ  Ｃ＝Ｃｍａｘ
ｉｆ  Ｃ＜０  ｔｈｅｎ  Ｃ＝０
【００４９】
このように、数１ないし数４にて適宜演算される遅延時間で、無線伝送方式における音声として再生されるまでの再生時間を基準としてディレイ処理することで、同一タイミングで再生出力された音声が基準点に到達することとなる。
【００５０】
〔再生装置の再生処理動作〕
次に、上記再生装置の再生処理について図面を参照して説明する。
【００５１】
（再生動作）
まず、あらかじめ設定されている許容範囲内の所定の位置関係で、スピーカ３００および表示部４００を配置するとともに、これらスピーカおよび表示部４００を図示しないデータ読取部とともに信号処理部２００に接続し、再生装置１００を設置する。この状態で、データ読取部および信号処理部２００の電源を投入して電力を供給させ、入力操作部２４０の入力操作により、いずれのスピーカ３００が有線伝送方式か無線方式かを設定するとともに、各スピーカ３００から再生出力される音声が基準点である視聴位置で同一タイミングで到達すべく設定する。この設定された条件は、メモリ部２１３Ｅに記憶される。この後、データ読取部を駆動させ、記録媒体に記録された音声データおよび画像データを読み取らせ、信号処理部２００へ出力させる。
【００５２】
そして、信号処理部２００は、データ読取部から出力された多チャンネル音声信号のストリーム音声データを、デジタル信号処理部２１３で適宜デコード処理および音声信号処理し、各チャンネルの音声データを設定されてメモリ部２１３Ｅに記憶された条件および適宜割り振られた遅延時間に基づいて適宜ディレイ処理する。なお、画像データにおいても、必要に応じてディレイ回路部２２２でディレイ処理する。そして、有線伝送方式に設定されたチャンネルに対応する音声データは、ＤＡＣ２１４でアナログ信号に変換され、アンプ２１５を介してスピーカ３００に出力され、音声として再生出力される。無線伝送方式に設定されたチャンネルに対応する音声データは、送信部２１６を介してスピーカ３００に送信され、受信処理部にて受信して復調し、アナログ信号に変換し、アンプ２１５を介してスピーカ３００から音声として再生出力される。また、必要に応じてディレイ処理された画像データは、映像出力回路部２２３にて適宜処理された後に表示部４００に出力され、表示部４００で映像として再生出力される。
【００５３】
（設置位置の補正可能範囲）
次に、適宜設置したスピーカ３００の設置位置におけるディレイ処理で対応可能な設置可能範囲について説明する。図７は、全てのスピーカが表示部と同様に有線伝送方式で接続する場合におけるディレイ処理結果を示す説明図である。図８は、一部のスピーカが無線伝送方式で接続され、かつ無線伝送による遅延時間、すなわち変調および復調に要する時間が１２ｍｓｅｃである場合において、ディレイ処理した結果を示す説明図である。図９は、一部のスピーカが無線伝送方式で接続され、かつ無線伝送による遅延、すなわち変調および復調に要する時間が１１ｍｓｅｃである場合において、ディレイ処理した結果を示す説明図である。図１０は、一部のスピーカが無線伝送方式で接続され、かつ無線伝送による遅延時間、すなわち変調および復調に要する時間が１０ｍｓｅｃである場合において、ディレイ処理した結果を示す説明図である。
【００５４】
全てのスピーカ３００が有線伝送方式で接続された通常状態では、以下の数５および数６に示す範囲となる。すなわち、デジタル信号処理部２１３のディレイ処理による遅延時間Ｓ，Ｃにより、数１および数２に示す関係式から、図７に示すように、センタースピーカ３００Ｃは１．７ｍ、右後スピーカ３００ＲＳおよび左後スピーカ３００ＬＳは５．１ｍの範囲で基準点に近い位置に設置できることが分かる。
【００５５】
【数５】
ｆ−１．７＜ｃ＜ｆ
【００５６】
【数６】
ｆ−５．１＜ｓ＜ｆ
【００５７】
一方、右後スピーカ３００ＲＳおよび左後スピーカ３００ＬＳが無線伝送形式の場合、以下の数７および数８、あるいは数９および数１０、または数１１および数１２に示すような範囲となる。すなわち、デジタル信号処理部２１３のディレイ処理による遅延時間Ｆ，Ｃにより、数３および数４に示す関係式から、例えば図８ないし図１０などに示すような範囲で設置できる。
【００５８】
具体的には、例えば無線伝送による遅延時間ｔが１２ｍｓｅｃで、図４に示すように、音声データＲ，Ｌの最大遅延時間Ｆｍａｘが１１ｍｓｅｃおよび音声データＣの最大遅延時間Ｃｍａｘが１３ｍｓｅｃと設定した場合、数７および数８に示す関係で、図８の実線または点線に示す設置可能範囲が設定される。すなわち、右後スピーカ３００ＲＳおよび左後スピーカ３００ＬＳを図８中の実線で示す位置である４．０８ｍ手前に設置した際、センタースピーカ３００Ｃは図８中の実線で示す設置位置の範囲の４．４２ｍとなる。また、右後スピーカ３００ＲＳおよび左後スピーカ３００ＬＳを図８中の点線で示す位置である０．３４ｍ手前に設置した際、センタースピーカ３００Ｃは図８中の点線で示す設置位置の範囲の手前に０．６８ｍ、後方に３．７４ｍの計４．４２ｍとなる。
【００５９】
【数７】
ｓ−０．３４＜ｃ＜ｓ＋４．０８
【００６０】
【数８】
ｆ−４．０８＜ｓ＜ｆ−０．３４
【００６１】
また、例えば無線伝送による遅延時間ｔが１１ｍｓｅｃで、図４に示すように、音声データＲ，Ｌの最大遅延時間Ｆｍａｘが１１ｍｓｅｃおよび音声データＣの最大遅延時間Ｃｍａｘが１３ｍｓｅｃと設定した場合、数９および数１０に示す関係で、図９の実線または点線に示す設置可能範囲が設定される。すなわち、右後スピーカ３００ＲＳおよび左後スピーカ３００ＬＳを図９中の実線で示す位置である３．７４ｍ手前に設置した際、センタースピーカ３００Ｃは図９中の実線で示す設置位置の範囲の４．４２ｍとなる。また、右後スピーカ３００ＲＳおよび左後スピーカ３００ＬＳを図９中の点線で示す位置である右前スピーカ３００Ｒおよび左前スピーカ３００Ｌと同距離に設置した際、センタースピーカ３００Ｃは図９中の点線で示す設置位置の範囲の手前に０．６８ｍ、後方に３．７４ｍの計４．４２ｍとなる。
【００６２】
【数９】
ｓ−０．６８＜ｃ＜ｓ＋３．７４
【００６３】
【数１０】
ｆ−３．７４＜ｓ＜ｆ
【００６４】
さらに、例えば無線伝送による遅延時間ｔが１０ｍｓｅｃで、図４に示すように、音声データＲ，Ｌの最大遅延時間Ｆｍａｘが１１ｍｓｅｃおよび音声データＣの最大遅延時間Ｃｍａｘが１３ｍｓｅｃと設定した場合、数１１および数１２に示す関係で、図１０の実線または点線に示す設置可能範囲が設定される。すなわち、右後スピーカ３００ＲＳおよび左後スピーカ３００ＬＳを図１０中の実線で示す位置である３．４ｍ手前に設置した際、センタースピーカ３００Ｃは図１０中の実線で示す設置位置の範囲の４．４２ｍとなる。また、右後スピーカ３００ＲＳおよび左後スピーカ３００ＬＳを図１０中の点線で示す位置である右前スピーカ３００Ｒおよび左前スピーカ３００Ｌの距離より後方へ０．３４ｍに設置した際、センタースピーカ３００Ｃは図１０中の点線で示す設置位置の範囲の手前に０．６８ｍ、後方に３．７４ｍの計４．４２ｍとなる。
【００６５】
【数１１】
ｓ−１．０２＜ｃ＜ｓ＋３．４
【００６６】
【数１２】
ｆ−３．４＜ｓ＜ｆ＋０．３４
【００６７】
これら図８ないし図１０に示すように、センタースピーカ３００Ｃの設置可能範囲は、右前スピーカ３００Ｒおよび左前スピーカ３００Ｌの設置距離を中心に、右後スピーカ３００ＲＳおよび左後スピーカ３００ＬＳの設置距離が前後方向で計３．７４ｍの範囲に対応し、その中間の範囲で前後方向で計４．４２ｍの範囲で相対的に連続して変化する。
【００６８】
上述したように、上記実施の形態では、スピーカ３００に対応した各チャンネルの音声データＣ，Ｒ，Ｌ，ＲＳ，ＬＳ，ＬＦＥのうち、例えばスピーカ３００Ｃ，３００Ｒ，３００Ｌへ有線伝送方式にて伝送される音声データＣ，Ｒ，Ｌを、無線媒体２１６Ｂを介して接続されたスピーカ３００ＲＳ，３００ＬＳへ無線伝送方式にて伝送される音声データＲＳ，ＬＳがスピーカ３００ＲＳ，３００ＬＳから音声として再生されるまでの再生時間を基準として、演算部２１３Ｆにて遅延処理すなわちディレイ処理する。このことにより、単に各スピーカ３００の設置位置のみにてディレイ処理するのではなく、例えば無線伝送方式における変調および復調の処理による時間を考慮して遅延処理するので、有線伝送方式および無線伝送方式の異なる伝送方式にて音声データを再生させる場合でも同一のタイミングで再生される音声を聴取できる。
【００６９】
そして、送信部２１６により音声データをデジタル信号として無線媒体２１６Ｂを介して無線伝送方式でスピーカ３００（例えば３００ＲＳ，３００ＬＳ）へ送信することで伝送する。このため、音声データの伝送の際に変調および復調の処理が必要となるデジタル信号での伝送において特に好適で、例えばデータ読取部からデジタル信号で音声データを取得してそのままデコード処理および音声信号処理をし、適宜遅延処理したデジタル信号の音声データを、スピーカ３００で再生させるためにアナログ信号に変換することなくそのまま送信すればよく、無線伝送方式で音声データを良好に伝送でき、良好な聴取が容易に得られる。
【００７０】
また、演算部２１３Ｆにより、有線伝送方式にて例えば音声データＣ，Ｒ，Ｌを再生するスピーカ３００Ｃ，３００Ｒ，３００Ｌまでの第１設置距離と、無線伝送方式にて伝送される例えば音声データＲＳ，ＬＳが変調および復調に要する時間に相当する音の伝搬距離と、基準点からスピーカ３００ＲＳ，ＬＳまでの第２設置距離とに基づいて、音声データを適宜遅延処理する。このため、異なる伝送方式でも同一タイミングで聴取できる処理を容易に得ることができる。
【００７１】
さらに、この遅延処理として、無線伝送方式の例えばスピーカ３００ＲＳ，ＬＳにおける伝搬距離Ｘおよび設置距離の和と、有線伝送方式のスピーカ３００Ｃ，３００Ｌ，３００Ｒの設置距離とのうちの短い距離となる方を長い距離と同一の距離となる状態に遅延処理、すなわち音声データＣ，Ｒ，Ｌを設置距離の長さに対応して適宜ディレイ処理する。このため、異なる伝送方式でも同一タイミングで聴取できる処理が簡単な演算にて実施でき、処理効率の向上を図ることができ、再生までの時間の短縮化が容易で、良好な聴取を得ることができる。
【００７２】
また、演算部２１３Ｆで遅延処理する遅延時間が、例えばスピーカ３００が全て有線伝送方式の場合におけるディレイ時間の最大値が割り振られる標準データ領域２１３Ｅ１と同一の大きさでディレイ時間の最大値が割り振れるデータ領域２１３Ｅ２をメモリ部２１３Ｅに設けている。このため、仮にデータ領域２１３Ｅ２のみを設けて無線伝送方式とするスピーカ３００をあらかじめ設定した場合、有線伝送方式あるいは無線伝送方式のみの場合と同様のデータ構造でよく、メモリ部２１３Ｅの構成を変更することなく異なる伝送方式でも同一のタイミングの聴取が得られる構成が得られる。
【００７３】
そして、標準データ領域２１３Ｅ１をもメモリ２１３Ｅに設けることで、伝送方式を問わず同一のタイミングの聴取が得られ、同一の伝送方式か異なる伝送方式を併用するかで標準データ領域２１３Ｅ１あるいはデータ領域２１３Ｅ２のいずれかで遅延処理すればよく、汎用性を向上できる。
【００７４】
また、スピーカ３００として、前方に設置されるセンタースピーカ３００Ｃ、前方右側に設置される右前スピーカ３００Ｒ、前方左側に設置される左前スピーカ３００Ｌ、後方右側に設置される右後スピーカ３００ＲＳ、および、後方左側に設置される左後スピーカ３００ＬＳの５チャンネルとすることで、例えば３つの領域２１３Ｅ１ａ〜２１３Ｅ１ｃ，２１３Ｅ２ａ〜２１３Ｅ２ｃでも同一の伝送方式あるいは異なる伝送方式の併用でも適用でき、簡単なデータ構造で同一のタイミングでの聴取が容易に得られる。
【００７５】
特に、信号処理部２００からの距離が遠くなる右後スピーカ３００ＲＳおよび左後スピーカ３００ＬＳを無線伝送方式としているため、配線がなくなり、外観が損なわれることを防止できるとともに、設置作業が容易にでき、標準データ領域２１３Ｅ１と同一の大きさでのデータ領域２１３Ｅ２としても十分な設置可能範囲を得ることができる。
【００７６】
そして、演算部２１３Ｆは、入力操作部２４０の入力操作により設定された伝送方式を認識し、この認識した伝送方式に基づいてディレイ処理する。このため、特別な構成を設けることなく、伝送方式を変更しても入力操作するのみで同一のタイミングの聴取が得られる。
【００７７】
また、ディレイ回路部２２２により、画像データ入力端子２２１から入力された画像データを、異なる伝送方式を併用して各チャンネルの音声データを伝送する場合で画像データを表示部４００へ伝送する際に、演算部２１３Ｆで音声データをディレイ処理した際の最も長いディレイ時間でディレイ処理する。このため、再生される映像と音声とも同一のタイミングで視聴できる。
【００７８】
〔実施形態の変形〕
なお、本発明は、上述した一実施の形態に限定されるものではなく、本発明の目的を達成できる範囲で以下に示される変形をも含むものである。
【００７９】
上述した実施の形態では、上述したように、５チャンネルに限らず、２つ以上のスピーカを用いて２チャンネル以上の多チャンネル音声データを再生する構成に適用でき、表示部４００を設けず音声データを聴取するための再生装置などとしても適用できる。
【００８０】
そして、データ読取部で記録媒体から読み取った音声データおよび画像データを処理する構成について説明したが、データ読取部としては、例えばネットワークを介して配信される音声データや画像データを取得する構成などとしてもよい。
【００８１】
また、信号処理部２００としては、ＡＶレシーバなどの構成に限らず、例えばプログラムを読み込んで信号処理部２００の構成を構築した例えばパーソナルコンピュータなどとしてもよい。そして、本発明は、このコンピュータに読み込ませるプログラムとして構成してもよい。この場合には、利用の拡大が容易に図れる。
【００８２】
一方、例えば音声データ出力端子２１７にリード線の端子が接続されたことを検出してその接続されたスピーカ３００が有線伝送方式であることを検出する接続検出手段を設け、この接続検出手段にて検出した接続状態としての有線伝送方式に基づいて演算部２１３Ｆがディレイ処理するようにしてもよい。このような構成によれば、入力操作部２４０にてあらかじめ伝送方式を設定する必要がなく、自動的に伝送方式を認識することができ、利便性を向上できる。
【００８３】
そして、標準データ領域２１３Ｅ１およびデータ領域２１３Ｅ２の双方を設けた構成として、伝送方式の状態に基づいて適宜ディレイ処理して説明したが、例えば上述したように、データ領域２１３Ｅのみのデータ構造としてもよい。このような構成によれば、有線伝送方式あるいは無線伝送方式のみの場合と同様のデータ構造でよく、メモリ部２１３Ｅの構成を変更することなく異なる伝送方式でも同一のタイミングの聴取が得られる構成が得られる。
【００８４】
本発明は、上述した一実施の形態および実施形態の変形のみに限ることなく、その他、本発明の目的を逸脱しない範囲で様々な応用が可能である。
【００８５】
〔実施の形態の作用効果〕
上述した実施の形態のように、スピーカ３００に対応した各チャンネルの音声データＣ，Ｒ，Ｌ，ＲＳ，ＬＳのうちの例えばスピーカ３００Ｃ，３００Ｒ，３００Ｌへ有線伝送方式にて伝送される音声データＣ，Ｒ，Ｌを、スピーカ３００ＲＳ，３００ＬＳへ無線伝送方式にて伝送される音声データＲＳ，ＬＳがスピーカ３００ＲＳ，３００ＬＳから音声として再生されるまでの再生時間を基準として、演算部２１３Ｆにて遅延処理すなわちディレイ処理する。このため、単に各スピーカ３００の設置位置のみにてディレイ処理するのではなく、例えば無線伝送方式における変調および復調などの処理による時間を考慮して遅延処理するので、有線伝送方式および無線伝送方式の異なる伝送方式にて音声データを再生させる場合でも同一のタイミングで再生される音声を聴取できる。
【図面の簡単な説明】
【図１】本発明の一実施の形態に係る再生装置の概略構成を示す模式図である。
【図２】前記一実施の形態における同一の伝送方式におけるディレイ処理した相対距離とともにスピーカの設置状態を示す概念図である。
【図３】前記一実施の形態における異なる伝送方式におけるディレイ処理した相対距離とともにスピーカの設置状態を示す概念図である。
【図４】前記一実施の形態におけるメモリ部のデータ構造を示す概念図である。（Ａ）：標準データ領域を示す概念図
（Ｂ）：データ領域を示す概念図
【図５】前記一実施の形態における同一の伝送方式におけるディレイ処理状況を示す概略構成図である。
【図６】前記一実施の形態における異なる伝送方式におけるディレイ処理状況を示す概略構成図である。
【図７】前記一実施の形態における全てのスピーカが表示部と同様に有線伝送方式で接続する場合におけるディレイ処理結果を示す説明図である。
【図８】前記一実施の形態における一部のスピーカが無線伝送方式で接続され、かつ無線伝送による遅延時間が１２ｍｓｅｃである場合において、ディレイ処理した結果を示す説明図である。
【図９】前記一実施の形態における一部のスピーカが無線伝送方式で接続され、かつ無線伝送による遅延時間が１１ｍｓｅｃである場合において、ディレイ処理した結果を示す説明図である。
【図１０】前記一実施の形態における一部のスピーカが無線伝送方式で接続され、かつ無線伝送による遅延時間が１０ｍｓｅｃである場合において、ディレイ処理した結果を示す説明図である。
【符号の説明】
１００      再生装置
２００      音声データ処理装置
２１１      音声データ取得手段としての音声データ入力端子
２１３Ｅ    記憶手段としてのメモリ部
２１３Ｅ１  標準データ領域
２１３Ｅ２  データ領域
２１３Ｆ    遅延処理手段としての演算部
２１６      送信手段としての送信部
２１６Ｂ    無線媒体
２２１      画像データ取得手段としての画像データ入力端子
２２２      画像データ遅延処理手段としてのディレイ回路部
３００      スピーカ
４００      表示手段としての表示部
５００      基準点となる視聴位置の聴取者
３００Ｃ    第１スピーカであるセンタースピーカ
３００Ｌ    第１スピーカである左前スピーカ
３００Ｒ    第１スピーカである右前スピーカ
３００ＲＳ  第２スピーカである右後スピーカ
３００ＬＳ  第２スピーカである左後スピーカ
ｌ      伝搬距離
【図１】
2004328513.tif 000003
【図２】
2004328513.tif 000004
【図３】
2004328513.tif 000005
【図４】
2004328513.tif 000006
【図５】
2004328513.tif 000007
【図６】
2004328513.tif 000008
【図７】
2004328513.tif 000009
【図８】
2004328513.tif 000010
【図９】
2004328513.tif 000011
【図１０】
2004328513.tif 000012